(57)【要約】【課題】撮像装置において、光学的な画角の変更中に電気的に画角を変更することで、光学的な画角の変更の弱点を補い、あるいは光学的な画角の変更の性能を強化する。【解決手段】光学ズーム機能の実行を操作したときは、光学ズーム機能によるズーム倍率の変動を行い、同時にデジタルズーム機能によるズーム倍率の変動も行う。ズーム倍率の表示は、光学ズーム機能によるズーム倍率の変動とデジタルズーム機能によるズーム倍率の変動を合わせた値で行う。【選択図】図３
2008053769.tif 000002
【特許請求の範囲】
【請求項１】
光学的に画角を変更する光学的画角変更手段と、電気的に画角を変更する電気的画角変更手段と、を備えている撮像装置において、
前記光学的画角変更手段により画角を変更することを指示する光学的画角変更指示手段と、
前記電気的画角変更手段により画角を変更することを指示する電気的画角変更指示手段と、
前記光学的画角変更指示手段により前記光学的画角変更手段による画角の変更が指示されたときは、前記光学的画角変更手段による画角の変更を行ない、これと並行して前記電気的画角変更手段による画角の変更も行う制御手段と、
を備えていることを特徴とする撮像装置。
【請求項２】
前記光学的画角変更手段による画角の変化と前記電気的画角変更手段による画角の変化とを合わせた画角の変化を報知する報知手段をさらに備えていることを特徴とする請求項１に記載の撮像装置。
【請求項３】
前記報知手段は、前記光学的画角変更手段による画角の変化と前記電気的画角変更手段による画角の変化とを合わせた画角の変化を前記光学的画角変更手段による光学的な画角の変化として報知することを特徴とする請求項２に記載の撮像装置。
【請求項４】
前記制御手段は、前記光学的画角変更指示手段により光学的な画角の変更を開始する指示があったときから前記光学的画角変更手段が動作開始するときまで前記電気的画角変更手段による画角の変更を行うことを特徴とする請求項１〜３の何れかの１項に記載の撮像装置。
【請求項５】
前記制御手段は、前記光学的画角変更指示手段により光学的な画角の変更を終了する指示があったときから前記光学的画角変更手段が動作終了するときまで、前記光学的画角変更手段によりズームインするときは前記電気的画角変更手段によりズームアウトすることを特徴とする請求項１〜４の何れかの１項に記載の撮像装置。
【請求項６】
前記制御手段は、前記光学的画角変更指示手段により光学的な画角の変更を終了する指示があったときから前記光学的画角変更手段が動作終了するときまで、前記光学的画角変更手段によりズームアウトするときは前記電気的画角変更手段によりズームインすることを特徴とする請求項１〜４の何れかの１項に記載の撮像装置。
【請求項７】
前記光学的画角変更手段によりズームイン又はズームアウトするときの単位時間当たりのズーム倍率の変動と前記電気的画角変更手段によりズームアウト又はズームインするときの単位時間当たりのズーム倍率の変動とを等しくすることを特徴とする請求項５又は６に記載の撮像装置。
【請求項８】
前記光学的画角変更手段によりズームイン又はズームアウトするときの単位時間当たりのズーム倍率の変動より前記電気的画角変更手段によりズームアウト又はズームインするときの単位時間当たりのズーム倍率の変動を大きくすることを特徴とする請求項５又は６に記載の撮像装置。
【請求項９】
前記制御手段は、前記光学的画角変更指示手段により光学的な画角の変更を開始する指示があったときから前記光学的画角変更指示手段により光学的な画角の変更を終了する指示があったときまでの前記光学的画角変更指示手段による光学的な画角の変更が最大値を越えないように前記電気的画角変更手段による画角の変更を制御することを特徴とする請求項１〜４の何れかの１項に記載の撮像装置。
【請求項１０】
前記制御手段は、前記光学的画角変更手段による光学的な画角の変更の緩急を前記電気的画角変更手段による電気的な画角の変更により補正することを特徴とする請求項１〜４の何れかの１項に記載の撮像装置。
【発明の詳細な説明】
【技術分野】
【０００１】
本発明は、ビデオカメラやスチルカメラなどの撮像装置に関する。
【背景技術】
【０００２】
ビデオカメラやスチルカメラなどに搭載されているズーム装置においては、ズームを行う際には、まず光学ズームが最大倍率まで作動し、それでも倍率不足の場合にはデジタルズームが作動する仕様が一般的である。この場合、光学ズーム機能とデジタルズーム機能とは独立した別個の機能であり、互いの特徴を活かして統合されたズーム機能とはなっていないのが現状である。
【０００３】
特許文献１に開示のビデオカメラは、ズームレンズのズーム位置を望遠端にしたときの拡大可能表示範囲を予め容易に分かるようにしているが、光学ズーム機能とデジタルズーム機能の互いの特徴を活かして統合されたズーム機能ではない。
また、スチルカメラやビデオカメラで撮影する際には、その搭載されている液晶ディスプレイに写ったモニタリング画像を用いて被写界を決定することが一般的になっていて、ファインダを搭載しないカメラも多数市販されている。さらに、搭載される液晶ディスプレイは年々大きな形、解像度になり、人間‐機械系の情報伝達手段としてますます液晶ディスプレイの占める役割はおおきくなっているといえる。
【０００４】
特許文献２には、撮影視野を可変とした撮影装置に係る発明、特に撮影視野の変化にともなう撮影光学系鏡胴の突出寸法の変化により撮影視野確認のための撮影視野における撮影光学系鏡胴によるケラレを効果的に抑制し得る撮影装置、ディジタルスティル撮影装置、撮影装置の制御システムおよび撮影装置の制御方法に関する発明が記載されている。
この特許文献２の発明の目的は、撮影光学系の鏡胴とは独立の被写体像観察系を用いる撮影視野確認手段における確認用撮影視野が、前記撮影光学系鏡胴によるケラレによって阻害されることなく、前記撮影光学系等の性能を充分に活かした撮影結果を得ることにある。
【０００５】
【特許文献１】特開平６−１０５１９０号公報
【特許文献２】特開２００３−２５５４４０号公報
【発明の開示】
【発明が解決しようとする課題】
【０００６】
従来のカメラにおいては、光学ズーム装置をユーザがズームイン又はズームアウトするときに、光学ズーム操作直後にタイムラグがあると、操作の追従性が悪くなり、軽快な操作感を損なう不具合がある。
【０００７】
また、ユーザは、ズーム倍率が所望のものであるかを目で表示画面により知覚した後、手動によりズーム操作を終了する動作を行うため、所望のズーム倍率に至った瞬間を少し行き過ぎた時点でズーム動作を終了させがちであり、行き過ぎたズーム倍率になる場合があるという不具合もある。
【０００８】
また、モータやギアを用いた構成による光学ズームの特性によっては、光学ズームが滑らかではないという不具合もある。
さらに、光学ズームに待たされる時間が長いという不具合もある。
【０００９】
そこで、本発明の目的は、光学的な画角の変更中に電気的に画角を変更することで、光学的な画角の変更の弱点を補い、あるいは光学的な画角の変更の性能を強化することである。
【課題を解決するための手段】
【００１０】
請求項１に係る発明は、光学的に画角を変更する光学的画角変更手段と、電気的に画角を変更する電気的画角変更手段と、を備えている撮像装置において、前記光学的画角変更手段により画角を変更することを指示する光学的画角変更指示手段と、前記電気的画角変更手段により画角を変更することを指示する電気的画角変更指示手段と、前記光学的画角変更指示手段により前記光学的画角変更手段による画角の変更が指示されたときは、前記光学的画角変更手段による画角の変更を行ない、かつ、この前記光学的画角変更手段による画角の変更中に前記電気的画角変更手段による画角の変更も行う制御手段と、を備えていることを特徴とする撮像装置である。
【００１１】
請求項２に係る発明は、前記光学的画角変更手段による画角の変化と前記電気的画角変更手段による画角の変化とを合わせた画角の変化を報知する報知手段をさらに備えていることを特徴とする請求項１に記載の撮像装置である。
請求項３に係る発明は、前記報知手段が、前記光学的画角変更手段による画角の変化と前記電気的画角変更手段による画角の変化とを合わせた画角の変化を前記光学的画角変更手段による光学的な画角の変化として報知することを特徴とする請求項２に記載の撮像装置である。
請求項４に係る発明は、前記制御手段が、前記光学的画角変更指示手段により光学的な画角の変更を開始する指示があったときから前記光学的画角変更手段が動作開始するときまで前記電気的画角変更手段による画角の変更を行うことを特徴とする請求項１〜３の何れかの１項に記載の撮像装置である。
請求項５に係る発明は、前記制御手段が、前記光学的画角変更指示手段により光学的な画角の変更を終了する指示があったときから前記光学的画角変更手段が動作終了するときまで、前記光学的画角変更手段によりズームインするときは前記電気的画角変更手段によりズームアウトすることを特徴とする請求項１〜４の何れかの１項に記載の撮像装置である。
【００１２】
請求項６に係る発明は、前記制御手段が、前記光学的画角変更指示手段により光学的な画角の変更を終了する指示があったときから前記光学的画角変更手段が動作終了するときまで、前記光学的画角変更手段によりズームアウトするときは前記電気的画角変更手段によりズームインすることを特徴とする請求項１〜４の何れかの１項に記載の撮像装置である。
請求項７に係る発明は、前記光学的画角変更手段によりズームイン又はズームアウトするときの単位時間当たりのズーム倍率の変動と前記電気的画角変更手段によりズームアウト又はズームインするときの単位時間当たりのズーム倍率の変動とを等しくすることを特徴とする請求項５又は６に記載の撮像装置である。
請求項８に係る発明は、前記光学的画角変更手段によりズームイン又はズームアウトするときの単位時間当たりのズーム倍率の変動より前記電気的画角変更手段によりズームアウト又はズームインするときの単位時間当たりのズーム倍率の変動を大きくすることを特徴とする請求項５又は６に記載の撮像装置である。
請求項９に係る発明は、前記制御手段が、前記光学的画角変更指示手段により光学的な画角の変更を開始する指示があったときから前記光学的画角変更指示手段により光学的な画角の変更を終了する指示があったときまでの前記光学的画角変更指示手段による光学的な画角の変更が最大値を越えないように前記電気的画角変更手段による画角の変更を制御することを特徴とする請求項１〜４の何れかの１項に記載の撮像装置である。
請求項１０に係る発明は、前記制御手段が、前記光学的画角変更手段による光学的な画角の変更の緩急を前記電気的画角変更手段による電気的な画角の変更により補正することを特徴とする請求項１〜４の何れかの１項に記載の撮像装置である。
【発明の効果】
【００１３】
本発明によれば、光学的な画角の変更中に電気的に画角を変更することで、光学的な画角の変更の弱点を補い、あるいは光学的な画角の変更の性能を強化することができる。
【発明を実施するための最良の形態】
【００１４】
以下、本発明の一実施の形態について図面を参照して説明する。
図１は、本発明の一実施形態であるデジタルカメラの外観図であり、同図の（ａ）は平面図、同図の（ｂ）は正面図、同図の（ｃ）は背面図である。同図の（ａ），（ｂ）に示すように、デジタルカメラ１００の筐体の上面には、リレーズシャッタ１０１、モードダイヤル１０２及びサブＬＥＤ１０７が設けられている。また、同図の（ｂ）に示すように、デジタルカメラ１００の筐体の正面には、鏡胴ユニット１０３、リモコン受光部１０４、測距ユニット１０５、光学ファインダ１０６、ストロボ発光部１０８が設けられ、更には筐体の側面にはカード／電池蓋１０９が設けられている。
【００１５】
そして、同図の（ｃ）に示すように、デジタルカメラ１００の筐体の背面には、電源スイッチ１１０、ＬＣＤモニタ１１１、ＭＥＮＵスイッチ１１２、ＯＫスイッチ１１３、ディスプレイスイッチ１１４、左／画像確認スイッチ１１５、下／マクロスイッチ１１６、右スイッチ１１７、上／ストロボスイッチ１１８、セルフタイマ／削除スイッチ１１９、ズームスイッチ１２０ａ、１２０ｂ、オートフォーカスＬＥＤ１２１、ストロボＬＥＤ１２２、光学ファインダ１０６が設けられている。
【００１６】
図２は、デジタルカメラ１００の電気的な接続のブロック図である。図２に示すように、鏡胴ユニット１０３は、被写体の光学画像を取り込むズームレンズ１２３及びズーム駆動モータ１２４を有するズーム光学系１２５と、フォーカスレンズ１２６及びフォーカス駆動モータ１２７を有するフォーカス光学系１２８と、絞り１２９及び絞りモータ１３０を有する絞りユニット１３１と、メカシャッタ１３２及びメカシャッタモータ１３３を有するメカシャッタユニット１３４と、各モータを駆動するモータドライバ１３５とを含んで構成されている。
【００１７】
そして、モータドライバ１３５は、リモコン受光部１０４からの入力、そして操作部キーユニット１３６の操作入力に基づく、後述する制御部１４１内にあるＣＰＵブロック１４１−３からの駆動指令により駆動制御される。ＲＯＭ１３７には、ＣＰＵブロック１４１−３にて解読可能なコードで記述された、制御プログラムや制御するためのパラメータが格納されている。
【００１８】
デジタルカメラ１００の電源がオン状態になると、プログラムは図示しないメインメモリにロードされ、ＣＰＵブロック１４１−３はそのプログラムに従って装置各部の動作を制御するとともに、制御に必要なデータ等を、一時的に、ＲＡＭ１３８及び後述する制御部１４１内にあるＬｏｃａｌ ＳＲＡＭ１４１−４に保存する。なお、ＲＯＭ１３７に書き換え可能なフラッシュＲＯＭを使用することで、制御プログラムや制御するためのパラメータを変更することが可能となり、機能のバージョンアップが容易に行うことができる。
【００１９】
また、ＣＣＤ１３９は、光学画像を光電変換するための固体撮像素子であり、Ｆ／Ｅ（フロントエンド）−ＩＣ１４０は、画像ノイズ除去用相関二重サンプリングを行うＣＤＳ１４０−１と、利得調整を行うＡＧＣ１４０−２と、デジタル信号変換を行うＡ／Ｄ変換器１４０−３と、ＣＣＤ１信号処理ブロック１４１−１より垂直同期信号（以下、ＶＤと略す）、水平同期信号（以下、ＨＤと略す）を供給されてＣＰＵブロック１４１−３によって制御されるＣＣＤ１３９及びＦ／Ｅ−ＩＣ１４０の駆動タイミング信号を発生するＴＧ１４０−４と、を含んで構成されている。
【００２０】
制御部１４１は、ＣＣＤ１３９よりＦ／Ｅ−ＩＣ１４０の出力データにホワイトバランス設定やガンマ設定を行い、また、前述したように、ＶＤ信号、ＨＤ信号を供給するＣＣＤ１信号処理ブロック１４１−１と、フィルタリング処理により輝度データ・色差データへの変換を行うＣＣＤ２信号処理ブロック１４１−２と、前述した装置各部の動作を制御するＣＰＵブロック１４１−３と、前述した制御に必要なデータ等を一時的に保存するＬｏｃａｌ ＳＲＡＭ１４１−４と、図示しないパソコンなどの外部機器とＵＳＢ通信を行うＵＳＢブロック１４１−５と、パソコンなどの外部機器とシリアル通信を行うシリアルブロック１４１−６と、ＪＰＥＧ圧縮・伸張を行うＪＰＥＧ ＣＯＤＥＣブロック１４１−７と、画像データのサイズを補間処理により拡大／縮小するＲＥＳＩＺＥブロック１４１−８と、画像データを液晶モニタやＴＶなどの外部表示機器に表示するためのビデオ信号に変換するＴＶ信号表示ブロック１４１−９と、撮影された画像データを記録するメモリカードの制御を行うメモリカードコントローラブロック１４１−１０と、を含んで構成されている。
【００２１】
更に、ＳＤＲＡＭ１４２は、制御部１４１で画像データに各種処理を施す際に、画像データを一時的に保存する。保存される画像データは、例えばＣＣＤ１３９から、Ｆ／Ｅ−ＩＣ１４０を経由して取りこんで、ＣＣＤ１信号処理ブロック１４１−１でホワイトバランス設定、ガンマ設定が行われた状態の「ＲＡＷ−ＲＧＢ画像データ」やＣＣＤ２信号処理ブロック１４１−２で輝度データ・色差データ変換が行われた状態の「ＹＵＶ画像データ」、ＪＰＥＧ ＣＯＤＥＣブロック１４１−７で、ＪＰＥＧ圧縮された「ＪＰＥＧ画像データ」などである。
【００２２】
カードスロットル１４３は、着脱可能な、メモリカード、ＬＡＮカード、無線ＬＡＮカード、Bluetoothカードなどのカード１４４を装着するためのスロットルである。内蔵メモリ１４５は、前述したカードスロットル１４３にカード１４４が装着されていない場合でも、撮影した画像データを記憶できるようにするためのメモリである。ＬＣＤドライバ１４６は、表示部であるＬＣＤモニタ１１１を駆動するドライブ回路であり、ＴＶ信号表示ブロック１４１−９から出力されたビデオ信号を、ＬＣＤモニタ１１１に表示するための信号に変換する機能も有している。
【００２３】
ＬＣＤモニタ１１１は、撮影前に被写体の状態を監視する、撮影した画像を確認する、カード１４４や内蔵メモリ１４５に記録した画像データを表示するなどを行うためのモニタである。ビデオＡＭＰ１４７は、ＴＶ信号表示ブロック１４１−９から出力されたビデオ信号を、７５Ωインピーダンス変換するためのアンプであり、ビデオジャック１４８は、ＴＶなどの外部表示機器と接続するためのジャックである。ＵＳＢコネクタ１４９は、パソコンなどの外部機器とＵＳＢ接続を行うためのコネクタである。シリアルドライバ回路１５０は、パソコンなどの外部機器とシリアル通信を行うために、シリアルブロック１４１−６の出力信号を電圧変換するための回路であり、ＲＳ−２３２Ｃコネクタ１５１は、パソコンなどの外部機器とシリアル接続を行うためのコネクタである。
【００２４】
ＳＵＢ−ＣＰＵ１５２は、ＲＯＭ・ＲＡＭをワンチップに内蔵したＣＰＵであり、操作キーユニット１３６やリモコン受光部１０４の出力信号を操作者の操作情報として、ＣＰＵブロック１４１−３に出力したり、ＣＰＵブロック１４１−３より出力されるカメラの状態を、セルフＬＥＤ１０７、オートフォーカスＬＥＤ１２１、ストロボＬＥＤ１２２、ブザー１５３の制御信号に変換して、出力する。サブＬＥＤ１０７は、例えば撮影可能枚数などを表示するための表示部であり、ＬＣＤドライバ１５６はＳＵＢ−ＣＰＵ１５２の出力信号によりサブＬＣＤ１０７を駆動するためのドライブ回路である。オートフォーカスＬＥＤ１２１は、撮影時の合焦状態を表示するためのＬＥＤであり、ストロボＬＥＤ１２２は、ストロボ充電状態を表すためのＬＥＤである。
【００２５】
なお、このオートフォーカスＬＥＤ１２１とストロボＬＥＤ１２２を、メモリカードアクセス中などの別の表示用途に使用しても良い。操作キーユニット１３６は、操作者が操作するキー回路であり、リモコン受光部１０４は、操作者が操作したリモコン送信機の信号の受信部である。音声記録ユニット１５４は、操作者が音声信号を入力するマイク１５４−１と、入力された音声信号を増幅するマイクＡＭＰ１５４−２と、増幅された音声信号を記録する音声記録回路１５４−３と、を含んで構成されている。音声再生ユニット１５５は、記録された音声信号をスピーカから出力できる信号に変換する音声再生回路１５５−１と、変換された音声信号を増幅し、スピーカを駆動するためのオーディオＡＭＰ１５５−２と、音声信号を出力するスピーカ１５５−３とを含んで構成されている。
【００２６】
また、Bluetooth対応機器への接続は、Bluetooth回路１５７により行う。もしくは、Bluetooth回路１５７がない場合は、カードスロットル１４３にBluetoothカードを接続することにより、Bluetooth対応機器と接続することができる。イーサネット（登録商標）への接続は、イーサネット（登録商標）接続回路もしくは、無線イーサネット（登録商標）接続回路（図示せず）により行う。もしくは、イーサネット（登録商標）回路がない場合は、カードスロットル１４３にＬＡＮカードもしくは、無線ＬＡＮカードを接続することにより、ネットワークへ接続することができる。
【００２７】
以上のような構成で、モードダイヤル１０２を撮影モードに合わせると、モニタリング画像がＬＣＤモニタ１１１に映される。光学的に画角を変更する光学ズーム機能は最大３倍であり、電気的に画角を変更するデジタルズーム機能は最大３．４倍である。起動直後には両方とも１倍である。ズームスイッチ１２０ｂを押すと、制御部１４１は、光学ズーム機能により光学ズームインを実行するが、光学ズームインが最大倍率の場合にはデジタルズーム機能によるデジタルズームインを行う。また、ズームスイッチ１２０ａを押すと、制御部１４１は、デジタルズームアウトを実行し、デジタルズームアウトが１倍の時には光学ズームアウトを行う。これらはユーザ仕様である。
【００２８】
実際には、制御部１４１は、光学ズームを行っている最中に、ユーザが意識しない形でデジタルズーム機能を併用して行っている。この点について、複数の制御例につき図３以下を参照して説明する。
【００２９】
まず、１つ目の例について説明する。
図３は、デジタルカメラ１００のズーム機能を説明するグラフである。図３は、ズーム倍率（縦軸）の時間変化（横軸）を示したもので、“Ｒｍ”はＬＣＤモニタ１１１に表示されるズーム倍率（表示倍率）である。“Ｒｏ”は光学ズーム機能のズーム倍率（光学ズーム倍率）である。“Ｒｄ”はデジタルズーム機能のズーム倍率（デジタルズーム倍率）である。
【００３０】
時刻Ｔ１〜Ｔ４の間は、ユーザ仕様上では光学ズームインのみ行っているように説明されているが、ユーザ仕様上でデジタルズーム機能は使用していなくても、現実には制御部１４１の制御によりジタルズーム機能が図３のように働く。
時刻Ｔ１は、ユーザによるズーム開始操作の時刻（ズームスイッチ１２０ｂ又は１２０ａを押し始めた時刻）である。時刻Ｔ２は、光学ズーム機能が動作開始する時刻である。時刻Ｔ３は、ユーザによるズーム終了操作の時間（ズームスイッチ１２０ｂ又は１２０ａを離した時刻）である。時刻Ｔ４は、光学ズーム機能が動作終了する時間である。
“Δｔ＝Ｔ１‐Ｔ２”は、光学ズーム機能が動作するまでのタイムラグとなる時間である。倍率Ｐは時刻Ｔ３時のデジタルズーム倍率Ｒｄの値である。ズーム倍率Ｑは時刻Ｔ２時のデジタルズーム倍率Ｒｄの値である。ズーム倍率Ｒはズームスイッチ１２０ａが押される前のＬＣＤモニタ１１１に表示されるズーム倍率である。ズーム倍率Ｓは最終的にＬＣＤモニタ１１１に表示されるズーム倍率である。ズーム倍率Ｕは時刻Ｔ３時の表示倍率Ｒｍの値である。
【００３１】
ここで、図３に明らかなように、制御部１４１は、光学ズーム倍率Ｒｏを以下のように動作する。
Ｒｏ ＝ Ｒ        (ただし、Ｔ１ ≦ ｔ ＜ Ｔ２)
Ｒｏ ＝ Ａ＊（ｔ − Ｔ２） ＋ Ｒ        （ただし、Ｔ２ ＜ ｔ ≦ Ｔ４)
（ここで、Ａｏ ≦ Ａ ≦ Ａｉとし、Ａｏはズームアウトが最高速の場合の係数、Ａｉはズームインが最高速の場合の係数（Ａｏ ＜ ０、Ａｉ ＞ ０））
【００３２】
そこで、制御部１４１は、デジタルズーム倍率Ｒｄを以下のように動作させる。
Ｒｄ ＝ Ｂ＊（ｔ − Ｔ１）        （ただし、Ｔ１ ≦ ｔ ＜ Ｔ２)
Ｒｄ ＝ Ｃ＊（ｔ − Ｔ２） ＋Ｑ        （ただし、Ｔ２ ≦ ｔ ＜ Ｔ３)
Ｒｄ ＝ Ｄ＊（ｔ − Ｔ３） ＋ Ｐ        （ただし、Ｔ３ ≦ ｔ ≦ Ｔ４)
これらの結果、表示倍率Ｒｍは以下のようにする。
Ｒｍ ＝ Ｅ＊（ｔ − Ｔ１） ＋ Ｒ        （ただし、Ｔ１≦ｔ＜Ｔ２）
Ｒｍ ＝ Ｆ＊（ｔ − Ｔ２） ＋ Ｖ        （ただし、Ｔ２ ＜ ｔ ≦ Ｔ３）
Ｒｍ ＝ Ｇ＊（ｔ − Ｔ３） ＋ Ｕ        （ただし、Ｔ３ ≦ ｔ ＜ Ｔ４）
【００３３】
以上の例で、“Ａ ＞ ０”に設定すると、ズームインになる。この場合に、時刻Ｔ１〜Ｔ２では、光学ズーム機能が動作しないため、制御部１４１は、“Ｂ ＞ ０”に設定してデジタルズームを適用した画像をＬＣＤモニタ１１に表示する。
【００３４】
時刻Ｔ２〜Ｔ３では、光学ズーム機能とデジタルズーム機能がともに動作してズームインしている。“Ｃ ＝ ０”と設定した場合、デジタルズームは一定の倍率を保ち、光学ズームの倍率が上がっていく。“Ｃ ＜ ０”とした場合、表示倍率Ｒｍと光学ズーム倍率Ｒｏのずれを時間とともに減少させながら、光学ズームの倍率が上がっていく。
【００３５】
時刻Ｔ３〜Ｔ４では、“Ｄ ＜ ０”と設定し、光学ズーム機能がズームインしており、デジタルズーム機能がズームアウトする。最終的にはデジタルズームはオフになる（時刻Ｔ４）。特に、“Ａ ＋ Ｄ ≒ ０”となるように設定した場合、表示倍率Ｒｍはほぼ一定となり、ユーザから見てズームスイッチ１２０ｂを離した瞬間にズームが止まるように感じられる。また、“Ａ ＋ Ｄ ＜ ０”になるように設定した場合、表示倍率Ｒｍは巻き戻り、ユーザから見てズームスイッチ１２０ｂを離した瞬間にズームが微少時間分巻き戻るように感じられる。巻き戻るように見えても光学ズーム倍率Ｒｏが巻き戻るわけではないので、時間をロスしない効果がある。
【００３６】
また、“Ａ ＜ ０”に設定すると、ズームアウトになる。この場合に、時刻Ｔ１〜Ｔ２では、光学ズーム機能が動作しないため、“Ｂ ＜ ０”に設定してデジタルズームを適用した画像をＬＣＤモニタ１１１に表示する。
時刻Ｔ２〜Ｔ３では、光学ズーム機能とデジタルズーム機能とがともにズームインしている。“Ｃ ＝ ０”と設定した場合、デジタルズームは一定の倍率を保ち、光学ズームの倍率が下がっていく。“０ ＜ Ｃ”とした場合、表示倍率Ｒｍと光学ズーム倍率Ｒｏのずれを時間とともに減少させながら、光学ズームの倍率が下がっていく。
【００３７】
時刻Ｔ３〜Ｔ４では、“Ｄ ＞ ０”と設定し、光学ズーム機能がズームアウトしており、デジタルズーム機能がズームインする。最終的にはデジタルズームがオフになる。特に、“Ａ ＋ Ｄ ≒ ０”となるように設定した場合、表示倍率Ｒｍはほぼ一定となり、ユーザから見てズームスイッチ１２０ａを離した瞬間にズームが止まるように感じられる。また、“Ａ ＋ Ｄ ＞ ０”になるように設定した場合、表示倍率Ｒｍは巻き戻り、ユーザから見てズームスイッチ１２０ａを離した瞬間にズームが微少時間分巻き戻るように感じられる。巻き戻るように見えても光学倍率Ｒｏが巻き戻るわけではないので、時間をロスしない効果がある。すなわち、ユーザは、ズーム倍率が所望のものであるかを目で表示画面により知覚した後、手動によりズーム操作を終了する動作を行うため、所望のズーム倍率に至った瞬間を少し行き過ぎた時点でズーム動作を終了させがちであるが、行き過ぎたズーム倍率になる場合があるのを防止することができる。
なお、本実施形態では、デジタル倍率Ｒｄは最終的にゼロになるが、本発明はデジタル倍率Ｒｄをゼロに戻すことに限定するものではなく、ゼロ以外の値をとってもよい。
【００３８】
このように、本実施形態のデジタルカメラでは、光学ズーム機能をユーザが操作しているときに同時にデジタルズーム機能も駆動し、表示倍率Ｒｍとしては、光学ズーム倍率とデジタルズーム倍率とを合成したズーム倍率を光学ズーム倍率としてユーザに報知する。
よって、光学ズーム中にデジタルズーム倍率を変動させることで、光学ズームの弱点を補い、光学ズームの性能を強化することができる。
【００３９】
次に、２つ目の実施形態について説明する。
本例においては、図３を参照して説明した例と異なる部分についてのみ説明する。図４は、本例についてデジタルカメラ１００のズーム機能を説明するグラフである。図４もズーム倍率（縦軸）の時間変化（横軸）を示したものである。
これはユーザ仕様上での光学ズームインの技術説明を行うものであり、ユーザ仕様上では、前述の例と同様、デジタルズームは行っていない。
“Ｒｍ”は、ＬＣＤモニタ１１１に表示されるズーム倍率（表示倍率）である。“Ｒｏ”は光学ズーム機能のズーム倍率（光学ズーム倍率）である。“Ｒｄ”はデジタルズーム機能のズーム倍率（デジタルズーム倍率）である。
時刻Ｔ１は、ユーザによるズーム終了操作の時間（ズームスイッチ１２０ｂを離した時間）である。時刻Ｔ２は、光学ズーム機能が動作終了する時間である。
“Ｐ”は時刻Ｔ１のデジタルズーム倍率Ｒｄの倍率である。“Ｑ”は時刻Ｔ２の光学ズーム倍率Ｒｏの倍率である。“Ｒ”は時刻Ｔ１の表示倍率Ｒｍの倍率である。“Ｓ”は時刻Ｔ１の光学ズーム倍率Ｒｏの倍率である。
【００４０】
本実施形態では、光学ズームとデジタルズームを同時に行うことで、モニタリング画面（ＬＣＤモニタ１１１の画面）のズーム速度を仮想的に上げている。
すなわち、“Ｔ１ ≦ ｔ ≦ Ｔ２”において、
Ｒｏ ＝ Ａ＊（ｔ − Ｔ１） ＋ Ｓ
（ここで、Ａｏ ≦ Ａ ≦ Ａｉとし、Ａｏはズームアウトが最高速の場合の係数、Ａｉはズームインが最高速の場合の係数（Ａｏ ＜ ０、Ａｉ ＞ ０））
Ｒｄ ＝ Ｂ＊（ｔ − Ｔ１） ＋ Ｐ
の結果、
Ｒｍ ＝ Ｃ＊（ｔ − Ｔ１） ＋ Ｒ
とあらわされる。
“Ａ ＋ Ｂ ≒ ０”と設定すれば、Ｃはほぼゼロになり“Ｒｍ ＝ Ｒ”と近似できる。
また、“Ａ ＋ Ｂ ＜ ０”と設定すれば、“Ｃ ＜ ０”になり表示倍率Ｒｍは巻き戻る。
時刻Ｔ１とＴ２の時間間隔Δｔは、
Δｔ ≦ Ｔmax      （Ｔmaxは人間が知覚しにくい時間の最大値を設定する）
とする。
そして、
Ａ ＝ Ａｉ
Ａ ＋ Ｂ ＝ ０
とすると、
Δｔ ＝ Ｐ ／ (−Ｂ)
であるので、
Ｐ ≦ Ａｉ ＊ Ｔmax
であり、デジタルズーム倍率は上限“Ａｉ＊ Ｔmax”を超えてはならない。そのため、ズームボタン１２０ｂを押してから離すまでの間が最長の場合でも上限値を超えないようなデジタルズーム倍率Ｒｄの勾配を設定する。または、Ｐが上限に至った場合に上限値に固定する処理を行ってもよい。
【００４１】
次に、３つ目の実施形態について説明する。
本例では、ステップズームを実行したときと（ステップズームでない）ズームを実行したときの動作について説明する。本例においても図３を参照して説明した例と異なる部分についてのみ説明する。
本例では、ＯＫスイッチ１１３とズームスイッチ１２０ｂとを同時に押下するとステップズームインを実行し、ＯＫスイッチ１１３とズームスイッチ１２０ａとを同時に押下するとステップズームアウトを行うというユーザ仕様を備えている。
【００４２】
図５は、本制御例についてデジタルカメラ１００のズーム機能を説明するグラフである。図５もズーム倍率（縦軸）の時間変化（横軸）を示したものであり、ズームインについて説明するものである。
“Ｒｍ”は、ＬＣＤモニタ１１１に表示されるズーム倍率（表示倍率）である。“Ｒｏ”は光学ズーム機能のズーム倍率（光学ズーム倍率）である。“Ｒｄ”はデジタルズーム機能のズーム倍率（デジタルズーム倍率）である。
時刻Ｔ１は、ユーザがステップズーム操作を行った時刻である。時刻Ｔ２は、光学ズーム機能の動作が終了する時刻である。
【００４３】
時刻Ｔ１にステップズーム操作を行なうと、ズーム機構が図５に示すように働く。すなわち、時刻Ｔ１〜Ｔ２は、光学ズームが完了するまでのタイムラグである。この間、デジタルズーム倍率Ｒｄを図５のように急激に上昇させてから漸次低下させるように変化させ、これらのズーム倍率を合わせたズーム倍率をＬＣＤモニタ１１１に表示させる。これにより表示倍率Ｒｍは、図５のように変化し、ユーザの見た目にはタイムラグはなく、時刻Ｔ１〜Ｔ２の表示倍率Ｒｍは一定となる。その後、前述の制御例のようにズームスイッチ１２０ｂを押下すると、ズームインを実行する。
【００４４】
また図６は、本制御例についてデジタルカメラ１００のズーム機能を説明するグラフである。図６もズーム倍率（縦軸）の時間変化（横軸）を示したものであり、ステップズームでないズームについて説明するものである。
光学ズーム機能は、その駆動機構に使用されているモータやギアなどの物理特性により、光学ズーム時にズーム倍率の変動に多少の緩急がついてしまう。そのため、このときの画像をそのままＬＣＤモニタ１１１に表示するとズームが滑らかにならないという不具合がある。
【００４５】
そこで、光学ズームを駆動するＺＯＯＭモータ１２４などの回転の角速度情報などを数式でＲＯＭ１３７などに保持しており、制御部１４１は、ズーム駆動モータ１２４などの実際の角速度を判断し、この角速度がこの数式とは所定の閾値以上にずれている場合には、デジタルズーム機能によりズーム倍率の補正を行い、ズーム倍率の変動が滑らかに行われるようにする。
あるいは、予めデジタルズームによるズーム倍率変動の補正式（補正情報）を保持していて、そのとおりにデジタルズームの補正を行ってもよい。
【００４６】
図６において、時刻Ｔ３〜Ｔ４の時間は光学ズームによるズーム倍率の変動がスムーズでなはい時間帯である。図６の例では、このスムーズでない部分を吸収する形でデジタルズームを変動させており、滑らかなズームが表示倍率Ｒｍとして表示される。この補正後、“Ｒｄ ＝ ０”でなくなった場合、時間とともにＲｄを０に近づける。
なお、以上のとおり複数の制御例を説明したが、これらはいうまでもなく本発明を限定するものではない。
【図面の簡単な説明】
【００４７】
【図１】本発明の一実施形態であるデジタルカメラの外観を説明する説明図である。
【図２】デジタルカメラの電気的な接続のブロック図である。
【図３】デジタルカメラの第１の制御例を説明するグラフである。
【図４】デジタルカメラの第２の制御例を説明するグラフである。
【図５】デジタルカメラの第３の制御例を説明するグラフである。
【図６】デジタルカメラの第４の制御例を説明するグラフである。
【符号の説明】
【００４８】
１００  デジタルカメラ
１２３  ズームレンズ
１２４  ズーム駆動モータ
１２５  ズーム光学系
【図１】
2008053769.tif 000003
【図２】
2008053769.tif 000004
【図３】
2008053769.tif 000005
【図４】
2008053769.tif 000006
【図５】
2008053769.tif 000007
【図６】
2008053769.tif 000008